(57)【要約】      （修正有）【課題】人力手動で行えて、単純・簡単・安全に、各家庭で発生する生ごみ・バイオマスから乾燥堆肥燃料資源を製造できる家庭用生ごみ・バイオマス堆肥燃料資源製造装置を提供する。【解決手段】ディスポーザーと、堆肥燃料資源製造器を備える。堆肥燃料資源製造器は、ディスポーザーにより粉砕・洗浄された生ごみ等の粉砕小片と、ダイオキシン・重金属に汚染された紙類を裁断したものと大鋸屑とを混ぜ、紙粘土状にしたバイオマスからダイオキシン等を除去した状態となったものを合わせて発酵を行う、手動撹拌器付きステンレス網状・穴開閉式・上蓋・底置き皿付き内容器と、コック栓付き耐熱性外容器とを有する。外容器が、耐熱性材料からなる安全保護外壁を有し、ダイオキシン等に汚染された紙粘土状のバイオマス、及び消石灰を加えて、３００℃〜５００℃で反応を行ってダイオキシン等を除去した状態とする家庭用ミニ高温反応釜でもある。【選択図】図１
0003166793.tif 000002
【実用新案登録請求の範囲】
【請求項１】
家庭用生ごみ・バイオマス堆肥燃料資源を製造する家庭用生ごみ・バイオマス堆肥燃料資源製造装置であって、
生ごみ・バイオマスを粉砕・洗浄するディスポーザーと、
該ディスポーザーにより粉砕・洗浄された生ごみ・バイオマスの粉砕小片と、ダイオキシン・重金属に汚染された紙類を裁断したものと大鋸屑とを混ぜ、紙粘土状にしたバイオマスからダイオキシン・重金属を除去した状態となったものを合わせて発酵を行う、手動撹拌器付きステンレス網状・穴開閉式・上蓋・底置き皿付き内容器と、コック栓付き耐熱性外容器とを有する、二重構造の耐熱手動式撹拌器付き堆肥燃料資源製造器とを備え、
前記コック栓付き耐熱性外容器が、耐熱性材料からなる安全保護外壁を有し、ダイオキシン・重金属に汚染された紙粘土状のバイオマス、及びメーカー指定量の消石灰を加えて、３００℃〜５００℃で反応を行ってダイオキシン・重金属を除去した状態とする家庭用ミニ高温反応釜でもある、家庭用生ごみ・バイオマス堆肥燃料資源製造装置。
【請求項２】
前記堆肥燃料資源製造器が、出し入れ可能な、手動撹拌器付きステンレス網状・穴開閉式内容器２台と、コック栓付き耐熱性外容器とからなり、前記２台の手動撹拌器付きステンレス網状・穴開閉式内容器２台が、耐熱性の、手動撹拌器付きステンレス網状・穴開閉式・上蓋・底置き皿付き内容器である、
請求項１に記載の家庭用生ごみ・バイオマス堆肥燃料資源製造装置。
【請求項３】
前記堆肥燃料資源製造器が、前記ディスポーザーにより粉砕・洗浄された生ごみ・バイオマスの粉砕小片であって、水分含有量６０〜７０重量％のものと、ダイオキシン・重金属に汚染された紙粘土状にしたバイオマスからダイオキシン・重金属を除去した状態となったものとを合わせて発酵させた後、得られた発酵物を前記撹拌器付き内容器のまま外に出して、前記内容器内の発酵物を熟成・乾燥させることで、水分含有量が１０〜２０重量％のバイオマス堆肥燃料資源を製造するものである、
請求項１又は２に記載の家庭用生ごみ・バイオマス堆肥燃料資源製造装置。
【請求項４】
前記堆肥燃料資源製造器内に於いて、前記ディスポーザーにより粉砕・洗浄された生ごみ・バイオマスの粉砕小片と、ダイオキシン・重金属に汚染された紙粘土状にしたバイオマスからダイオキシン・重金属を除去した状態となったものとを合わせて発酵を行うに際し、その合わせた混合物重量の１．０〜１．５重量％の消石灰を投入して発酵を促進させ、かつ、生ごみ・バイオマスの粉砕小片を追加投入する都度、投入される生ごみ・バイオマスの１．０〜１．５重量％の消石灰を前記混合物に添加する、
請求項１〜３のいずれかに記載の家庭用生ごみ・バイオマス堆肥燃料資源製造装置。
【請求項５】
低温時には砂糖を添加し、高温時には、塩を添加することにより、発酵温度を４０〜８０℃に調整するものである、
請求項１〜４のいずれかに記載の家庭用生ごみ・バイオマス堆肥燃料資源製造装置。
【請求項６】
悪臭発生時対策として、木酢液の水溶液を堆肥容量の２重量％分入れて撹拌し発酵させるものである、
請求項１〜５のいずれかに記載の家庭用生ごみ・バイオマス堆肥燃料資源製造装置。
【考案の詳細な説明】
【技術分野】
【０００１】
本発明は、主として生ごみ発生の家庭単位ごとに、乾燥堆肥を作って、負の困り物を生産性の高い果実に切り替えることができる、家庭用生ごみ・バイオマス堆肥燃料資源製造装置に関する。
【背景技術】
【０００２】
従来、種々の堆肥製造装置が知られているが、いずれも内容的に難しく、大掛かりで、ＩＴ化され、個々別々のシステムになっていて、ごみ処理の中身が略全てが混練り雑多であって、肥料としても燃料としても根本的問題解決を一例として、動力ファンと電気ヒーターを使う乾燥等にて困り物を強引に封じ込めているために、多面的な生産果実を生ませるには、複雑すぎて、多額の維持費を要したにもかかわらず、結果有用価値が失われているのである。
【０００３】
生ごみの処理は、各市町村において苦慮している社会的大問題（経済・環境問題等）であるが、処理装置の全てが大型プラント・ＩＴ化しているために、非経済・機能的であり、むしろ環境破壊に繋がっている。したがって、それに対処するべくセパレート化して、
先ずは自分自身が率先して、本格的燃料資源としての乾燥堆肥が作れることにより単純・簡単・実用・安全・有益的生産果実を生み出すことになれば、行政の負担軽減にもなり同時に個人としても費用負担の軽減に繋がる。
【考案の概要】
【考案が解決しようとする課題】
【０００４】
本考案は、上記した実情に鑑みてなされたものであり、その目的とするところは、防衛・有事（環境・天災・戦争等に対して備える。）の為に出来得る限り全て人力手動で行えて、各セクションを経ずに、有事に不能状態となるばかりか、高額化するＩＴ電子機器の付加装置は基本的に改造不能・不耐用でもあるから極力廃して、スリムにして、販売・使用許可される単純既存道具・部品類を出来るだけ用いて、単純・簡単・安全に、各家庭で発生する生ごみ・バイオマスから乾燥堆肥燃料資源を以って「ピュア・高密度な燃料を製造出来るシステム」の必要部分として、家庭用生ごみ・バイオマス堆肥燃料資源製造装置を提供することにある。
【課題を解決するための手段】
【０００５】
本考案は、上記課題を達成すべく、下記（Ａ）〜（Ｆ）の家庭用生ごみ・バイオマス堆肥燃料資源製造装置を提供する。
（Ａ）家庭用生ごみ・バイオマス堆肥燃料資源を製造する家庭用生ごみ・バイオマス堆肥燃料資源製造装置であって、生ごみ・バイオマスを粉砕・洗浄するディスポーザーと、該ディスポーザーにより粉砕・洗浄された生ごみ・バイオマスの粉砕小片と、ダイオキシン・重金属に汚染された紙類を裁断したものと大鋸屑とを混ぜ、紙粘土状にしたバイオマスからダイオキシン・重金属を除去した状態となったものを合わせて発酵を行う、手動撹拌器付きステンレス網状（投入されたバイオマスの発酵堆肥分解生分の塩化アンモニウムと投入された消石灰の化学反応にて、塩化カルシウムとアンモニア・水が出来る内のアンモニアと水を濾過して、堆肥化の促進と水分調整ができると考えられる。）・穴開閉式・上蓋・底置き皿付き内容器と、コック栓付き耐熱性外容器とを有する、二重構造の耐熱手動式撹拌器付き堆肥燃料資源製造器とを備え、前記コック栓付き耐熱性外容器が、耐熱性材料からなる安全保護外壁を有し、ダイオキシン・重金属に汚染された紙粘土状のバイオマス、及びメーカー指定量の消石灰を加えて、３００℃〜５００℃で反応を行ってダイオキシン・重金属を除去した状態とする家庭用ミニ高温反応釜でもある、家庭用生ごみ・バイオマス堆肥燃料資源製造装置。
【０００６】
（Ｂ）前記堆肥燃料資源製造器が、出し入れ可能な、手動撹拌器付きステンレス網状・穴開閉式内容器２台と、コック栓付き耐熱性外容器とからなり、前記２台の手動撹拌器付きステンレス網状・穴開閉式内容器２台が、耐熱性の、手動撹拌器付きステンレス網状・穴開閉式・上蓋・底置き皿付き内容器である、（Ａ）に記載の家庭用生ごみ・バイオマス堆肥燃料資源製造装置。
（Ｃ）前記堆肥燃料資源製造器が、前記ディスポーザーにより粉砕・洗浄された生ごみ・バイオマスの粉砕小片であって、水分含有量６０〜７０重量％のものと、ダイオキシン・重金属に汚染された紙粘土状にしたバイオマスからダイオキシン・重金属を除去した状態となったものとを合わせて発酵させた後、得られた発酵物を前記撹拌器付き内容器のまま外に出して、前記内容器内の発酵物を熟成・乾燥させることで、水分含有量が１０〜２０重量％のバイオマス堆肥燃料資源を製造するものである、（Ａ）又は（Ｂ）に記載の家庭用生ごみ・バイオマス堆肥燃料資源製造装置。
【０００７】
（Ｄ）前記堆肥燃料資源製造器内に於いて、前記ディスポーザーにより粉砕・洗浄された生ごみ・バイオマスの粉砕小片と、ダイオキシン・重金属に汚染された紙粘土状にしたバイオマスからダイオキシン・重金属を除去した状態となったものとを合わせて発酵を行うに際し、その合わせた混合物重量の１．０〜１．５重量％の消石灰を投入して発酵を促進させ、かつ、生ごみ・バイオマスの粉砕小片を追加投入する都度、投入される生ごみ・バイオマスの１．０〜１．５重量％の消石灰を前記混合物に添加する、（Ａ）〜（Ｃ）のいずれかに記載の家庭用生ごみ・バイオマス堆肥燃料資源製造装置。
（Ｅ）低温時には砂糖を添加し、高温時には、塩を添加することにより、発酵温度を４０〜８０℃に調整するものである、（Ａ）〜（Ｄ）のいずれかに記載の家庭用生ごみ・バイオマス堆肥燃料資源製造装置。
（Ｆ）悪臭発生時対策として、木酢液の水溶液を堆肥容量の２重量％分入れて撹拌し発酵させるものである、（Ａ）〜（Ｅ）のいずれかに記載の家庭用生ごみ・バイオマス堆肥燃料資源製造装置。
【考案の効果】
【０００８】
本考案の堆肥燃料資源製造装置は、総合的一体型で、その内容が難しくない単純・簡単なものであり、総合加重的な製造装置である。本発明の堆肥燃料資源製造装置によれば、ピュアで高密度な堆肥燃料資源を簡便かつ、容易に製造することができる。
【図面の簡単な説明】
【０００９】
【図１】本考案の家庭用生ごみ・バイオマス堆肥燃料資源製造装置の正面図である。
【図２】本考案の家庭用生ごみ・バイオマス堆肥燃料資源製造装置の側断面図である。
【図３】本考案の家庭用生ごみ・バイオマス堆肥燃料資源製造装置の上面図である。
【考案を実施するための形態】
【００１０】
本考案は、家庭用生ごみ・バイオマス堆肥燃料資源を製造する家庭用生ごみ・バイオマス堆肥燃料資源製造装置であって、生ごみ・バイオマスを粉砕・洗浄するディスポーザーと、該ディスポーザーにより粉砕・洗浄された生ごみ・バイオマスの粉砕小片と、ダイオキシン・重金属に汚染された紙類を裁断したものと大鋸屑とを混ぜ、紙粘土状にしたバイオマスからダイオキシン・重金属を除去した状態となったものを合わせ、消石灰を投入して発酵を行う、手動撹拌器付きステンレス網状・穴開閉式・上蓋・底置き皿付き内容器と、コック栓付き耐熱性外容器とを有する、二重構造の耐熱手動式撹拌器付き堆肥燃料資源製造器とを備え、前記コック栓付き耐熱性外容器が、耐熱性材料からなる安全保護外壁を有し、ダイオキシン・重金属に汚染された紙粘土状のバイオマス、及びメーカー指定量の消石灰を加えて、３００℃〜５００℃で反応を行ってダイオキシン・重金属を除去した状態とする家庭用ミニ高温反応釜でもある、家庭用生ごみ・バイオマス堆肥燃料資源製造装置である。
【００１１】
以下、図面に従って一実施例を説明する。
図中、２０は、生ごみ・バイオマス粉砕投入口（家庭用ディスポーザー）、２１は、ディスポーザーの水道水取り入れ口、２２は、２１の引き込み用水道蛇口、２３は、２２の水道ホース簡易繋器、２４は、ディスポーザー排出口、２５は、２３の受け皿水きりシンク、２６は、二重構造の耐熱手動式撹拌器付き堆肥燃料資源製造器（耐熱性の手動撹拌器付きステンレス網状・穴開閉式・上蓋・底置き皿付き内容器と、コック栓付き耐熱性外容器とからなる）、２７は、２８と分解一体型発酵用耐熱手動回転式攪拌器、２８は、２６の取り出し内容器で発酵熟成・乾燥用の耐熱ステンレス網状・穴開閉式の穴開き・上蓋・底置き皿付き内容器、２９は関連作業台、３０は、穴開き状の耐熱ステンレスの網である。
【００１２】
先ず、処理の対象となる生ごみ・バイオマス（腐葉土を含む）を粉砕投入口２０に投入し、ディスポーザー内で２０ｍｍ以下の大きさに粉砕・洗浄する。
【００１３】
粉砕した生ごみ・バイオマス（腐葉土を含む）を水道水とともに受け皿水きりシンク２５に送り、不要成分はそのまま洗浄して、水分含有量６０重量％〜７０重量％程度（水を絞って手に水分を感じられる状態を目安に、現在の重量計測にて計算する。）となるように水切りを行う。
【００１４】
次いで、水切りした粉砕生ごみ・バイオマスを手動撹拌器付きステンレス網状・穴開閉式穴開き・上蓋・底置き皿付き内容器と、コック栓付き耐熱性外容器とを有する、二重構造の耐熱安全保護外壁装備の前記堆肥燃料資源製造器２６・２８（２６高温反応使用時の代用使用時）中に投入し、十分に発酵させる。例えば、粉砕生ごみを、手動撹拌器付きステンレス網状・穴開閉式内容器と、コック栓付き耐熱性外容器とを有する、二重構造の耐熱安全保護外壁装備の前記堆肥燃料資源製造器２６・２８（２６高温反応使用時代用使用時）中にて、発酵の３条件（発酵温度、水分、空気）を満たすべく、水分含有量６０重量％〜７０重量％程度、発酵温度４０℃〜８０℃にて、一日数回手動攪拌して空気を混合しながら、半月ほど十分に発酵させる。
【００１５】
発酵を開始させるには、粉砕生ごみを同重量程度の腐葉土と十分に攪拌し、投入される生ごみ・バイオマスの１．０〜１．５重量％の消石灰を前記混合物に添加することにより行う。
その後の温度調整は、砂糖（低温時温度上昇）と塩（高温時温度下降）を用いる。
また、追加投入される生ごみ・バイオマスの１．０〜１．５重量％の消石灰を前記混合物に添加することによっても、発酵温度を最適な温度に調節することができる。
【００１６】
なお、一旦発酵が開始すれば、その後は、粉砕生ごみを投入するだけで、腐葉土をほとんど投入する必要はない。あたかも漬物のぬか床のごとくである。
また、生ごみ・バイオマス堆肥を製造する場合、家庭毎にばらつきがあるので、これを平均化するために、落ち葉をディスポーズ・シュレッダー等で裁断したものや、大鋸屑と紙類（新聞・雑誌）をシュレッダー等で裁断したものの紙粘土をさらに前記堆肥燃料資源製造器に投入して堆肥燃料資源を製造するようにしてもよい。
【００１７】
ダイオキシンや重金属に汚染された(又は汚染された可能性大の) 大鋸屑、新聞紙、雑誌等のバイオマスの発酵は次のようにして行う。
まず、ダイオキシンや重金属に汚染された(又は汚染された可能性大の) 紙類（雑誌・新聞など）をシュレッダーなどの裁断手段により裁断した物に大鋸屑を加えて手動撹拌器付きステンレス網状・穴開閉式・上蓋・底置き皿付き内容器と、コック栓付き耐熱性外容器とを有する、二重構造の耐熱安全保護外壁装備の前記堆肥燃料資源製造器に投入し、高反応の消石灰のメーカー指定量と混ぜた状態にて、先ずはダイオキシン・重金属を略取り除いた状態とする。
【００１８】
ここで用いる二重構造の耐熱堆肥燃料製造器のコック栓付きステンレス耐熱性外容器の外壁は、３００℃〜５００℃の高温に耐えられる耐熱・安全性を有する保護外壁材からなり、耐熱・安全保護外壁材としては、珪藻土が現時点では最も適していて、耐熱性外容器に用いるステンレスなども３００〜５００℃の高温に耐えられる材質のものであることが必要である。
【００１９】
同時に、追加生ごみ・バイオマスの堆肥化の前記堆肥燃料資源製造器が上記高温反応中は、前記出し入れ可能な、手動撹拌器付きステンレス網状・穴開閉式・上蓋・底置き皿付き内容器の穴・上蓋を閉じた他の１台内に、粉砕・洗浄した、ダイオキシン・重金属に汚染されていない生ごみ・バイオマス（腐葉土を含む）を投入し、発酵を開始させる。
【００２０】
次いで、前記ダイオキシン・重金属を略取り除いた状態となったものを、前記手動撹拌器付きステンレス網状・穴開閉式・上蓋・底置き皿付き内容器の他の１台にて発酵を開始させたものの中に投入するか、又は、他の１台の発酵開始されたものを、前記堆肥燃料製造器の中に投入し、全体をよく攪拌して十分に発酵を行う、この場合の発酵条件は、上述したのと同様である。
【００２１】
前記粉砕した生ごみ・バイオマス（腐葉土を含む）粉砕小片と前記紙粘土バイオマス（ダイオキシン・重金属を略取り除いた状態となったもの）との混合物の発酵を行った後、前記堆肥燃料資源製造器の内容器を堆肥燃料資源製造器から取り出し、前記堆肥燃料資源製造器の内容器の穴開き状態内の発酵物を風通しよくして熟成させながら、水分含有量を１０〜２０重量％まで調整乾燥させる。具体的には、得られた発酵物を熟成乾燥発酵器としての前記堆肥燃料資源製造器の内容器２８中に入れた状態にて毎日数回撹拌して、３０日間程度風通しよくして熟成させながら、水分含有量を１０〜２０重量％（水に浸けて絞らない状態の重量を計測しておき、現在の乾燥状態での重量を計測して計算する。）まで乾燥させることにより、無定形の（一定の形をなさない）バイオマス堆肥燃料資源を得ることができる。
【００２２】
なお、発酵時の臭い対策は、攪拌した状況をめどに、天候や臭いの度合いに合わせて、木酢液の水溶液を堆肥容積の２重量％分を入れて調整することにより行うことができる。但し、温度調整に用いる塩を投入した時は、用いてはならない。
【００２３】
その後は、得られた無定形のバイオマス堆肥燃料資源を、図示を省略するペレット製造装置により、燃料ペレット化することができる。
【符号の説明】
【００２４】
２０・・・生ごみ・バイオマス粉砕投入口（家庭用ディスポーザー）
２１・・・水道水差込口
２２・・・水道蛇口
２３・・・水道ホース簡易繋器
２４・・・ディスポーザー排出口
２５・・・粉砕バイオマス受け皿（取手付ザル）シンク
２６・・・耐熱内外容器の二重構造の安全保護外壁の堆肥燃料資源製造器
２７・・・分解一体型ハンドル付回転式耐熱手動撹拌器
２８・・・２６内胞の取り出し可能な２台分耐熱ステンレス網状・穴開閉式・上蓋・底
受け皿付き内容器
２９・・・作業台
３０・・・穴開き状のステンレスの網
【図１】
0003166793.tif 000003
【図２】
0003166793.tif 000004
【図３】
0003166793.tif 000005